(57)【要約】  本発明の一態様に係るフレキシブルプリント配線板は、絶縁性を有するベースフィルムと、このベースフィルムの少なくとも一方の面側に積層され、平面視で角度が６０°以上の屈曲部又は角度が６０°以上の分岐部を有する配線を含む導電パターンとを備えるフレキシブルプリント配線板であって、上記配線が屈曲部又は分岐部への応力集中を緩和する緩和構造を備え、上記緩和構造が、屈曲部又は分岐部からの距離が上記配線の最小幅の５倍以下の範囲内の配線を幅広配線又は密集配線とした構造であり、上記幅広配線の配線幅が上記配線の最小幅の２倍以上であり、上記密集配線の配線幅の配線間隔に対する比が１．５以上であり、かつ密集配線の合計幅が上記配線の最小幅の２倍以上である。
2018128082.tif 000002
【特許請求の範囲】
【請求項１】
絶縁性を有するベースフィルムと、上記ベースフィルムの少なくとも一方の面側に積層され、平面視で角度が６０°以上の屈曲部又は角度が６０°以上の分岐部を有する配線を含む導電パターンとを備えるフレキシブルプリント配線板であって、
上記配線が上記屈曲部又は分岐部への応力集中を緩和する緩和構造を備え、
上記緩和構造が、上記屈曲部又は分岐部からの距離が上記配線の最小幅の５倍以下の範囲内の配線を幅広配線又は密集配線とした構造であり、
上記幅広配線の配線幅が上記配線の最小幅の２倍以上であり、
上記密集配線の配線幅の配線間隔に対する比が１．５以上であり、かつ上記密集配線の合計幅が上記配線の最小幅の２倍以上であるフレキシブルプリント配線板。
【請求項２】
上記幅広配線の上記配線幅が５０μｍ以上である請求項１に記載のフレキシブルプリント配線板。
【請求項３】
上記密集配線が回路に接続されないダミー配線を含む請求項１又は請求項２に記載のフレキシブルプリント配線板。
【請求項４】
上記密集配線の上記配線間隔が２０μｍ以下である請求項１、請求項２又は請求項３に記載のフレキシブルプリント配線板。
【発明の詳細な説明】
【技術分野】
【０００１】
本発明は、フレキシブルプリント配線板に関する。
本出願は、２０１７年１月５日出願の日本出願第２０１７−０００６０２号に基づく優先権を主張し、上記日本出願に記載された全ての記載内容を援用するものである。
【背景技術】
【０００２】
絶縁性を有するベースフィルムと、このベースフィルムの少なくとも一方の面側に積層され、平面視で屈曲部又は分岐部を有する配線を含む導電パターンとを備えるフレキシブルプリント配線板が広く利用されている。【０００３】
フレキシブルプリント配線板は、面に角度をつけるよう折り曲げて使用されることがあり、さらに使用中に曲げの状態が繰り返し変化して疲労を受ける場合がある。このため、フレキシブルプリント配線板は、使用条件によっては、導電パターンの屈曲部や分岐部に応力が集中して断線するおそれがある。【０００４】
例えば特開平１１−３４０５９１号公報には、導電パターンにおける配線の交差部の内角にフィレットを設けることによって、交差部への応力集中を防止することが提案されている。
【先行技術文献】
【特許文献】
【０００５】
【特許文献１】特開平１１−３４０５９１号公報
【発明の概要】
【０００６】
本発明の一態様に係るフレキシブルプリント配線板は、絶縁性を有するベースフィルムと、上記ベースフィルムの少なくとも一方の面側に積層され、平面視で角度が６０°以上の屈曲部又は角度が６０°以上の分岐部を有する配線を含む導電パターンとを備えるフレキシブルプリント配線板であって、上記配線が上記屈曲部又は分岐部への応力集中を緩和する緩和構造を備え、上記緩和構造が、上記屈曲部又は分岐部からの距離が上記配線の最小幅の５倍以下の範囲内の配線を幅広配線又は密集配線とした構造であり、上記幅広配線の配線幅が上記配線の最小幅の２倍以上であり、上記密集配線の配線幅の配線間隔に対する比が１．５以上であり、かつ上記密集配線の合計幅が上記配線の最小幅の２倍以上である。
【図面の簡単な説明】
【０００７】
【図１】図１は、本発明の一実施形態のフレキシブルプリント配線板を示す模式的平面図である。
【図２】図２は、本発明の図１とは異なる実施形態のフレキシブルプリント配線板を示す模式的平面図である。
【図３】図３は、本発明の図１及び図２とは異なる実施形態のフレキシブルプリント配線板を示す模式的平面図である。
【図４】図４は、本発明の図１、図２及び図３とは異なる実施形態のフレキシブルプリント配線板を示す模式的平面図である。
【図５】図５は、本発明の図１乃至図４とは異なる実施形態のフレキシブルプリント配線板を示す模式的平面図である。
【図６】図６は、本発明の図１乃至図５とは異なる実施形態のフレキシブルプリント配線板を示す模式的平面図である。
【図７】図７は、本発明の図１乃至図６とは異なる実施形態のフレキシブルプリント配線板を示す模式的平面図である。
【発明を実施するための形態】
【０００８】
［本開示が解決しようとする課題］
上記公報が提案する従来の導電パターンのデザインは、可撓性を有しないリジッド配線板における断線を防止するものであり、比較的大きな曲げを受けるフレキシブルプリント配線板に適用しても、十分に導電パターンの破断を防止することは難しい。
【０００９】
特に、近年電子機器の小型化が進み、これに伴ってフレキシブルプリント配線板の導電パターンが細線化し、フレキシブルプリント配線板の曲げ半径も小さくなってきている。このため、フレキシブルプリント配線板の導電パターンの破断がより大きな問題となってきている。
【００１０】
本発明は、上述のような事情に基づいてなされたものであり、導電パターンの屈曲部や分岐部の応力集中による破断を防止できるフレキシブルプリント配線板を提供することを課題とする。
【００１１】
［本開示の効果］
本発明の一態様に係るフレキシブルプリント配線板は、導電パターンの屈曲部や分岐部の応力集中による破断を防止できる。
【００１２】
［本発明の実施形態の説明］
本発明の一態様に係るフレキシブルプリント配線板は、絶縁性を有するベースフィルムと、上記ベースフィルムの少なくとも一方の面側に積層され、平面視で角度が６０°以上の屈曲部又は角度が６０°以上の分岐部を有する配線を含む導電パターンとを備えるフレキシブルプリント配線板であって、上記配線が上記屈曲部又は分岐部への応力集中を緩和する緩和構造を備え、上記緩和構造が、上記屈曲部又は分岐部からの距離が上記配線の最小幅の５倍以下の範囲内の配線を幅広配線又は密集配線とした構造であり、上記幅広配線の配線幅が上記配線の最小幅の２倍以上であり、上記密集配線の配線幅の配線間隔に対する比が１．５以上であり、かつ上記密集配線の合計幅が上記配線の最小幅の２倍以上である。
【００１３】
当該フレキシブルプリント配線板は、導電パターンの屈曲部又は分岐部の近傍領域の配線を上記条件を満たす幅広配線又は密集配線とした緩和構造を備えることによって、この緩和構造の配線が他の部分に比べて変形し難く、応力を分散することができるので、導電パターンの配線の屈曲部や分岐部の応力集中による破断を防止できる。
【００１４】
上記幅広配線の上記配線幅としては、５０μｍ以上が好ましい。このように、上記幅広配線の最小幅を上記下限以上とすることによって、より確実に応力を分散して、導電パターンの配線の屈曲部や分岐部の破断をより確実に防止できる。
【００１５】
上記密集配線が回路に接続されないダミー配線を含むとよい。このように、上記密集配線が回路に接続されないダミー配線を含むことによって、導電パターンの回路を構成する部分の形状を従来と同様とすることができるので、設計が比較的容易となる。
【００１６】
上記密集配線の上記配線間隔としては、２０μｍ以下が好ましい。このように、上記密集配線の配線間隔を上記上限以下とすることによって、密集配線内の一部の配線に応力が集中することをより確実に防止できる。
【００１７】
ここで、「屈曲部」とは、配線の中心線の曲率半径が配線全体における最小幅の５倍以下である部分を意味し、屈曲部の「角度」とは、配線の中心線の曲率半径が配線全体の最小幅の５倍となる点の中心線間の角度を意味する。また、「分岐部」とは、配線の中心線が枝分かれする部分を意味し、分岐部の「角度」とは、枝分かれした中心線のうちの任意の２本の曲率半径が配線全体の最小幅の５倍以上となる点の中心線間の相対角度のうちの小さい方を意味する。また、「屈曲部又は分岐部からの距離」とは、配線の屈曲部又は分岐部の中心線からの距離を意味する。なお、「幅広配線」とは、緩和構造以外の配線の配線幅（最小幅）より大きい配線幅を有する配線であり、「密集配線」とは複数の配線からなり、緩和構造以外の配線に比べて配線幅の配線間隔に対する比が大きく、かつ緩和構造以外の配線の配線幅（最小幅）より大きい合計幅を有する配線を言う。ここで、「合計幅」とは、密集配線を構成する各配線の配線幅を合計した幅である。
【００１８】
［本発明の実施形態の詳細］
以下、本発明に係るフレキシブルプリント配線板の各実施形態について図面を参照しつつ詳説する。
【００１９】
［第一実施形態］
図１に示す本発明の第一実施形態に係るフレキシブルプリント配線板は、絶縁性を有するベースフィルム１と、このベースフィルム１の少なくとも一方の面側に積層される導電パターン２とを備えるフレキシブルプリント配線板である。
【００２０】
＜ベースフィルム＞
ベースフィルム１は、導電パターン２を支持する部材であって、当該フレキシブルプリント配線板の強度を担保する構造材である。
【００２１】
このベースフィルム１の主成分としては、例えばポリイミド、液晶ポリエステルに代表される液晶ポリマー、ポリエチレンテレフタレート、ポリエチレンナフタレート、ポリフェニレンエーテル、フッ素樹脂等の軟質材、紙フェノール、紙エポキシ、ガラスコンポジット、ガラスエポキシ、ガラス基材等の硬質材、軟質材と硬質材とを複合したリジッドフレキシブル材などを用いることができる。これらの中でも耐熱性に優れるポリイミドが好ましい。なお、ベースフィルム１は、多孔化されたものでもよく、また、充填材、添加剤等を含んでもよい。
【００２２】
上記ベースフィルム１の厚さは、特に限定されないが、例えばベースフィルム１の平均厚さの下限としては、５μｍが好ましく、１２μｍがより好ましい。また、ベースフィルム１の平均厚さの上限としては、２ｍｍが好ましく、１．６ｍｍがより好ましい。ベースフィルム１の平均厚さが上記下限に満たない場合、ベースフィルム１の強度が不十分となるおそれがある。一方、ベースフィルム１の平均厚さが上記上限を超える場合、当該フレキシブルプリント配線板の可撓性が不十分となるおそれがある。
【００２３】
＜導電パターン＞
導電パターン２は、層状の導体を少なくとも部分的に回路を構成するようパターニングして形成される。この導電パターン２は、少なくとも１本の配線３を含む。また、導電パターン２は、図示しないが、例えば電子部品の実装のためのランド、配線接続のための端子部等を有してもよい。
【００２４】
導電パターン２を形成する材料としては、導電性を有する材料であれば特に限定されないが、例えば銅、アルミニウム、ニッケル等の金属が挙げられ、一般的には比較的安価で導電率が大きい銅が用いられる。また、導電パターン２は、表面にめっき処理が施されてもよい。
【００２５】
導電パターン２の配線３は、その最小幅ｗの５倍以下の曲率半径で角度が６０°以上である屈曲部４を有する。より詳しくは、屈曲部４は、配線３の中心線（図中の一点鎖線）の曲率半径が、連続して配線３の最小幅ｗの５倍以下である領域のうち、この領域の両端における中心線の向きが６０°以上異なる部分である。なお、最小幅ｗは、配線３のうちの電路となる実効部分の最小幅を意味する。
【００２６】
図１のフレキシブルプリント配線板について具体的に説明すると、配線３の屈曲部４は、その中心線の曲率半径が配線３の最小幅ｗの２倍であり、その角度が略９０°となっている点Ａ−Ａ間である。
【００２７】
この配線３全体の最小幅ｗの下限としては、１０μｍが好ましく、１５μｍがより好ましい。一方、配線３の最小幅ｗの上限としては、２００μｍが好ましく、１００μｍがより好ましい。配線３の最小幅ｗが上記下限に満たない場合、配線３の導通性が不十分となるおそれがある。逆に、配線３の最小幅ｗが上記上限を超える場合、本発明を適用しなくても配線３が比較的大きな強度を有するため、本発明の適用によりフレキシブルプリント配線板の面積が不必要に増大するおそれがある。
【００２８】
配線３は、屈曲部４への応力集中を緩和する緩和構造を備える。本実施形態における緩和構造は、屈曲部４の近傍領域Ｒ（二点鎖線で図示する領域）における配線３を、その配線幅が配線３の最小幅（他の部分の配線幅）ｗの２倍以上である幅広配線５とした構造である。つまり、配線３は、近傍領域Ｒの外側で配線幅が変化しており、近傍領域Ｒ内における配線３の配線幅は、配線全体における最小幅ｗの２倍以上である。
【００２９】
この配線３の中心線を基準として、幅広配線５の端部（配線幅が配線３全体における最小幅ｗの２倍になる点Ｂ）の屈曲部４（点Ａ−Ａ間の中心線）からの距離の下限としては、配線３の最小幅ｗの５倍であり、８倍が好ましく、１０倍がより好ましい。一方、上記幅広配線５の端部（点Ｂ）の屈曲部４からの距離の上限としては、配線３の最小幅ｗの５０倍が好ましく、３０倍がより好ましい。上記幅広配線５の端部の屈曲部４からの距離が上記下限に満たない場合、屈曲部４における応力集中による配線３の断裂を防止できないおそれがある。逆に、上記幅広配線５の端部の屈曲部４からの距離が上記上限を超える場合、当該フレキシブルプリント配線板の面積が不必要に増大するおそれがある。
【００３０】
幅広配線５の具体的な配線幅の下限としては、５０μｍが好ましく、６０μｍがより好ましい。一方、幅広配線５の配線幅の上限としては、５００μｍが好ましく、２００μｍがより好ましい。幅広配線５の配線幅が上記下限に満たない場合、屈曲部４における配線３の断裂を十分に防止できないおそれがある。逆に、幅広配線５の配線幅が上記上限を超える場合当該フレキシブルプリント配線板の面積が不必要に増大するおそれがある。
【００３１】
屈曲部４における配線３の配線幅（幅広配線５の点Ａ−Ａ間における配線幅）の下限としては、配線３の最小幅ｗの２．５倍が好ましく、３倍がより好ましい。一方、屈曲部４における配線３の配線幅の上限としては、配線３の最小幅ｗの１０倍が好ましく、７倍がより好ましい。屈曲部４における配線３の配線幅が上記下限に満たない場合、屈曲部４における応力集中を十分に抑制できないおそれがある。逆に、屈曲部４における配線３の配線幅が上記上限を超える場合、当該フレキシブルプリント配線板の面積が不必要に増大するおそれがある。
【００３２】
導電パターン２の平均厚さの下限としては、２μｍが好ましく、５μｍがより好ましい。一方、導電パターン２の平均厚さの上限としては、５００μｍが好ましく、１００μｍがより好ましい。導電パターン２の平均厚さが上記下限に満たない場合、導電性が不十分となるおそれがある。一方、導電パターン２の平均厚さが上記上限を超える場合、当該フレキシブルプリント配線板の可撓性が不足するおそれがある。
【００３３】
＜利点＞
以上のように、配線３は、屈曲部４からの距離が配線３の最小幅ｗの少なくとも５倍以下の近傍領域Ｒ内が幅広配線５とされる。これにより、当該フレキシブルプリント配線板に曲げ応力が作用したときに、配線３の屈曲部４における応力集中が緩和され、屈曲部４及びその近傍における配線３の断裂を防止することができる。
【００３４】
［第二実施形態］
図２に示す本発明の第二実施形態に係るフレキシブルプリント配線板は、絶縁性を有するベースフィルム１と、このベースフィルム１の少なくとも一方の面側に積層される導電パターン２ａとを備えるフレキシブルプリント配線板である。
【００３５】
図２のフレキシブルプリント配線板におけるベースフィルム１の構成は、図１のフレキシブルプリント配線板におけるベースフィルム１の構成と同様とすることができる。また、図２のフレキシブルプリント配線板における導電パターン２ａの構成は、以下に説明する平面形状の特徴を除いて、図１のフレキシブルプリント配線板における導電パターン２の構成と同様である（特に言及しない平面形状も同様である）。このため、図２のフレキシブルプリント配線板について図１のフレキシブルプリント配線板と重複する説明は省略する。なお、図中の一点鎖線は配線の中心線を示す。
【００３６】
＜導電パターン＞
導電パターン２ａは、層状の導体を少なくとも部分的に回路を構成するようパターニングして形成される。この導電パターン２ａは、少なくとも１本の配線３ａを含む。この導電パターン２ａの配線３ａは、角度が６０°以上（配線の中心線の交差角度が９０°±３０°）である分岐部６を有する。
【００３７】
本実施形態において、配線３ａは、分岐部への応力集中を緩和する緩和構造として、分岐部６の近傍領域Ｒａ（二点鎖線で図示する領域）における配線３ａが、その配線幅が配線３ａの最小幅ｗの２倍以上である幅広配線５ａとされている。つまり、近傍領域Ｒａ内における配線３ａの最小幅は、配線全体における最小幅ｗの２倍以上である。
【００３８】
図２のフレキシブルプリント配線板では、配線３ａの中心線の曲率半径が配線３ａ全体における最小幅ｗの５倍以下となる部分が点Ｃの１点だけであるので、近傍領域Ｒａは、この点Ｃを中心とする円の内側と解される。
【００３９】
＜利点＞
以上のように、配線３ａは、分岐部６からの距離が配線３ａの最小幅ｗの少なくとも５倍以下の近傍領域Ｒａが幅広配線５ａとされる。これにより、当該フレキシブルプリント配線板に曲げ応力が作用したときに、配線３ａの分岐部６における応力集中が緩和され、分岐部６及びその近傍における配線３ａの断裂を防止することができる。
【００４０】
［第三実施形態］
図３に示す本発明の第三実施形態に係るフレキシブルプリント配線板は、絶縁性を有するベースフィルム１と、このベースフィルム１の少なくとも一方の面側に積層される導電パターン２ｂとを備えるフレキシブルプリント配線板である。
【００４１】
図３のフレキシブルプリント配線板におけるベースフィルム１の構成は、図１のフレキシブルプリント配線板におけるベースフィルム１の構成と同様とすることができる。また、図３のフレキシブルプリント配線板における導電パターン２ｂの構成は、以下に説明する平面形状の特徴を除いて、図１のフレキシブルプリント配線板における導電パターン２の構成と同様である（特に言及しない平面形状も同様である）。このため、図３のフレキシブルプリント配線板について図１のフレキシブルプリント配線板と重複する説明は省略する。なお、図中の一点鎖線は配線の中心線を示す。
【００４２】
＜導電パターン＞
導電パターン２ｂは、層状の導体を少なくとも部分的に回路を構成するようパターニングして形成される。この導電パターン２ｂは、複数の配線３ｂを含む。この複数の配線３ｂは、複数の配線３ｂ全体の最小幅ｗの５倍以下の曲率半径で角度が６０°以上である屈曲部４ｂをそれぞれ有する。
【００４３】
本実施形態において、配線３ｂは、屈曲部４ｂへの応力集中を緩和する緩和構造として、各屈曲部４ｂの近傍領域Ｒｂ（二点鎖線で図示する領域）における配線３ｂが、配線幅の配線間隔に対する比が比較的大きく、かつ合計幅が比較的大きい密集配線７とされている。具体的には、配線３ｂは、近傍領域の外側では従来のプリント配線板と同様の配線間隔をし、近傍領域Ｒｂの内部での間隔が他の部分における間隔よりも小さくなっている。
【００４４】
密集配線７における配線幅の配線間隔に対する比の下限としては、１．５であり、２．０が好ましく、２．５がより好ましい。一方、密集配線７における配線幅の配線間隔に対する比の上限としては、１０が好ましく、５がより好ましい。密集配線７における配線幅の配線間隔に対する比が上記下限に満たない場合、密集配線７内の各配線３ｂの一体性が不十分となり、屈曲部４ｂでの応力集中を十分に緩和できないおそれがある。逆に、密集配線７における配線幅の配線間隔に対する比が上記上限を超える場合、配線幅が過度に大きくなることで当該フレキシブルプリント配線板の面積が不必要に増大するおそれや、配線間隔が過度に小さくなることで配線３ｂ間が短絡するおそれがある。
【００４５】
また、密集配線７の合計幅の下限としては、配線３ｂの最小幅ｗの２．０倍であり、２．５倍が好ましく、３．０倍がより好ましい。一方、密集配線７の合計幅の上限としては、配線３ｂの最小幅ｗの２０倍が好ましく、１０倍がより好ましい。密集配線７の合計幅が上記下限に満たない場合、密集配線７の剛性が不十分となることで屈曲部４ｂにおける配線３ｂの破断を防止できないおそれがある。逆に、密集配線７の合計幅が上記上限を超える場合、当該フレキシブルプリント配線板の面積が不必要に大きくなるおそれがある。
【００４６】
また、密集配線７の配線間隔（配線３ｂ間の隙間）の下限としては、３μｍが好ましく、５μｍがより好ましい。一方、密集配線７の配線間隔の上限としては、２０μｍが好ましく、１５μｍがより好ましい。密集配線７の配線間隔が上記下限に満たない場合、配線３ｂ間が短絡するおそれがある。逆に、密集配線７の配線間隔が上記上限を超える場合、配線幅を大きくする必要があることから当該フレキシブルプリント配線板の面積が不必要に増大するおそれがある。
【００４７】
また、密集配線７に含まれる配線３ｂの数としては、上記合計幅が得られる数であればよく、２本以上の任意の数とすることができる。
【００４８】
＜利点＞
以上のように、配線３ｂは、屈曲部４ｂからの距離が配線３ｂの最小幅ｗの少なくとも５倍以下の近傍領域Ｒｂ内が密集配線７とされる。これにより、当該フレキシブルプリント配線板に曲げ応力が作用したときに、配線３ｂの屈曲部４ｂにおける応力集中が緩和され、屈曲部４ｂ及びその近傍における配線３ｂの断裂を防止することができる。
【００４９】
［第四実施形態］
図４に示す本発明の第四実施形態に係るフレキシブルプリント配線板は、絶縁性を有するベースフィルム１と、このベースフィルム１の少なくとも一方の面側に積層される導電パターン２ｃとを備えるフレキシブルプリント配線板である。
【００５０】
図４のフレキシブルプリント配線板におけるベースフィルム１の構成は、図１のフレキシブルプリント配線板におけるベースフィルム１の構成と同様とすることができる。また、図４のフレキシブルプリント配線板における導電パターン２ｃの構成は、以下に説明する平面形状の特徴を除いて、図１のフレキシブルプリント配線板における導電パターン２の構成と同様である（特に言及しない平面形状も同様である）。このため、図４のフレキシブルプリント配線板について図１のフレキシブルプリント配線板と重複する説明は省略する。なお、図中の一点鎖線は配線の中心線を示す。
【００５１】
＜導電パターン＞
導電パターン２ｃは、層状の導体を少なくとも部分的に回路を構成するようパターニングして形成される。この導電パターン２ｃは、複数の配線３ｃを含む。導電パターン２ｃの配線３ｃは、角度が６０°以上（配線の相対角度が６０°以上）である分岐部６ｃを有する。
【００５２】
本実施形態において、配線３ｃは、分岐部６ｃへの応力集中を緩和する緩和構造として、各分岐部６ｃの近傍領域Ｒｃ（二点鎖線で図示する領域）における配線３ｃが、配線幅の配線間隔に対する比が比較的大きく、かつ合計幅が比較的大きい密集配線７ｃとされている。この密集配線７ｃは、回路に接続されないダミー配線８を含む。
【００５３】
このダミー配線８は屈曲部を有するため、配線３ｃは、このダミー配線８の屈曲部からの距離が配線３ｃの最小幅ｗの少なくとも５倍以下の範囲を含む領域で密集配線７ｃとされている。
【００５４】
図４のフレキシブルプリント配線板の密集配線７ｃにおける配線幅の配線間隔に対する比、合計幅及び配線３ｃの数は、図３のフレキシブルプリント配線板の密集配線７における配線幅の配線間隔に対する比、合計幅及び配線３ｂの数と同様とすることができる。
【００５５】
＜利点＞
以上のように、配線３ｃは、分岐部６ｃからの距離が配線３ｃの最小幅ｗの少なくとも５倍以下の近傍領域Ｒｃ内が密集配線７ｃとされる。これにより、当該フレキシブルプリント配線板に曲げ応力が作用したときに、配線３ｃの分岐部６ｃにおける応力集中が緩和され、分岐部６ｃ及びその近傍における配線３ｃの断裂を防止することができる。
【００５６】
また、当該フレキシブルプリント配線板の緩和構造は、従来と同様の分岐した配線パターンに隣接してダミー配線８を設けたものであるため、導電パターン２の設計が比較的容易である。
【００５７】
［第五実施形態］
図５に示す本発明の第五実施形態に係るフレキシブルプリント配線板は、絶縁性を有するベースフィルム１と、このベースフィルム１の少なくとも一方の面側に積層される導電パターン２ｄとを備えるフレキシブルプリント配線板である。
【００５８】
図５のフレキシブルプリント配線板におけるベースフィルム１の構成は、図１のフレキシブルプリント配線板におけるベースフィルム１の構成と同様とすることができる。また、図５のフレキシブルプリント配線板における導電パターン２ｄの構成は、以下に説明する平面形状の特徴を除いて、図１のフレキシブルプリント配線板における導電パターン２の構成と同様である（特に言及しない平面形状も同様である）。このため、図５のフレキシブルプリント配線板について図１のフレキシブルプリント配線板と重複する説明は省略する。なお、図中の一点鎖線は配線の中心線を示す。
【００５９】
＜導電パターン＞
導電パターン２ｄは、層状の導体を少なくとも部分的に回路を構成するようパターニングして形成される。この導電パターン２ｄは、複数の配線３ｄを含む。この複数の配線３ｄは、複数の配線３ｄ全体での最小幅ｗの５倍以下の曲率半径で角度が６０°以上である屈曲部４ｄをそれぞれ有する。
【００６０】
本実施形態において、配線３ｄは、屈曲部４ｄへの応力集中を緩和する緩和構造として、各屈曲部４ｄの近傍領域Ｒｄ（二点鎖線で図示する領域）における配線３ｄが、幅広配線５ｄ又は密集配線７ｄとされている。また、密集配線７ｄは、部分的に幅広配線５ｄを含む。
【００６１】
図５のフレキシブルプリント配線板における幅広配線５ｄの配線幅等は、図１のフレキシブルプリント配線板における幅広配線５の配線幅等と同様とすることができる。また、図５のフレキシブルプリント配線板における密集配線７ｄの合計幅等は、図３のフレキシブルプリント配線板における密集配線７の合計幅等と同様とすることができる。
【００６２】
＜利点＞
以上のように、配線３ｄは、屈曲部４ｄからの距離が配線３ｄの最小幅ｗの少なくとも５倍以下の近傍領域Ｒｄ内が幅広配線５ｄ又は密集配線７ｄとされる。これにより、当該フレキシブルプリント配線板に曲げ応力が作用したときに、配線３ｄの屈曲部４ｄにおける応力集中が緩和され、屈曲部４ｄ及びその近傍における配線３ｄの断裂を防止することができる。
【００６３】
［第六実施形態］
図６に示す本発明の第六実施形態に係るフレキシブルプリント配線板は、絶縁性を有するベースフィルム１と、このベースフィルム１の少なくとも一方の面側に積層される導電パターン２ｅとを備えるフレキシブルプリント配線板である。
【００６４】
図６のフレキシブルプリント配線板におけるベースフィルム１の構成は、図１のフレキシブルプリント配線板におけるベースフィルム１の構成と同様とすることができる。また、図６のフレキシブルプリント配線板における導電パターン２ｅの構成は、以下に説明する平面形状の特徴を除いて、図１のフレキシブルプリント配線板における導電パターン２の構成と同様である（特に言及しない平面形状も同様である）。このため、図６のフレキシブルプリント配線板について図１のフレキシブルプリント配線板と重複する説明は省略する。なお、図中の一点鎖線は配線の中心線を示す。
【００６５】
＜導電パターン＞
導電パターン２ｅは、層状の導体を少なくとも部分的に回路を構成するようパターニングして形成される。この導電パターン２ｅは、配線３ｅを含む。この配線３ｅは、分岐部６ｅを有する。
【００６６】
本実施形態において、配線３ｅは、分岐部６ｅへの応力集中を緩和する緩和構造として、配線３ｅの分岐部６ｅの近傍領域Ｒｅ（二点鎖線で図示する領域）に存在する部分が、幅広配線５ｅ又は密集配線７ｅとされている。具体的には、近傍領域Ｒｅ内の配線３ｅは、略「Ｔ」字状に形成され、Ｔの横棒部分が密集配線７ｅとされ、縦棒部分が幅広配線５ｅとされている。
【００６７】
図６のフレキシブルプリント配線板における幅広配線５ｅの配線幅等は、図１のフレキシブルプリント配線板における幅広配線５の配線幅等と同様とすることができる。また、図６のフレキシブルプリント配線板における密集配線７ｅの合計幅等は、図３のフレキシブルプリント配線板における密集配線７の合計幅等と同様とすることができる。
【００６８】
＜利点＞
以上のように、配線３ｅは、分岐部６ｅからの距離が配線３ｅの最小幅ｗの少なくとも５倍以下の近傍領域Ｒｅ内の部分が幅広配線５ｅ又は密集配線７ｅとされる。これにより、当該フレキシブルプリント配線板に曲げ応力が作用したときに、配線３ｅの分岐部６ｅにおける応力集中が緩和され、分岐部６ｅ及びその近傍における配線３ｅの断裂を防止することができる。
【００６９】
［第七実施形態］
図７に示す本発明の第七実施形態に係るフレキシブルプリント配線板は、絶縁性を有するベースフィルム１と、このベースフィルム１の少なくとも一方の面側に積層される導電パターン２ｆとを備えるフレキシブルプリント配線板である。
【００７０】
図７のフレキシブルプリント配線板におけるベースフィルム１の構成は、図１のフレキシブルプリント配線板におけるベースフィルム１の構成と同様とすることができる。また、図７のフレキシブルプリント配線板における導電パターン２ｆの構成は、以下に説明する平面形状の特徴を除いて、図１のフレキシブルプリント配線板における導電パターン２の構成と同様である（特に言及しない平面形状も同様である）。このため、図７のフレキシブルプリント配線板について図１のフレキシブルプリント配線板と重複する説明は省略する。なお、図中の一点鎖線は配線の中心線を示す。
【００７１】
＜導電パターン＞
導電パターン２ｆは、層状の導体を少なくとも部分的に回路を構成するようパターニングして形成される。この導電パターン２ｆは、配線３ｆを含む。この配線３ｆは、配線３ｆの最小幅ｗの５倍以下の曲率半径で屈曲しつつ分岐している。従って、この配線３ｆは、屈曲部４ｆを有する。また、配線３ｆの最小幅ｗの５倍以下の曲率半径の部分の両端の中心線の相対角度が６０°以上であることから、この部分は角度が６０度以上の分岐部６ｆであるとも解釈できる。
【００７２】
本実施形態において、配線３ｆは、屈曲部４ｆ（分岐部６ｆ）への応力集中を緩和する緩和構造として、各屈曲部４ｆの近傍領域Ｒｆ（二点鎖線で図示する領域）における配線３ｆが、配線幅の配線間隔に対する比が比較的大きく、かつ合計幅が比較的大きい密集配線７ｆとされている。この密集配線７ｆは、回路に接続されないダミー配線８ｆを含む。
【００７３】
図７のフレキシブルプリント配線板における密集配線７ｆの合計幅等は、図３のフレキシブルプリント配線板における密集配線７の合計幅等と同様とすることができる。
【００７４】
＜利点＞
以上のように、配線３ｆは、屈曲部４ｆ及び分岐部６ｆからの距離が配線３ｆの最小幅ｗの少なくとも５倍以下の近傍領域Ｒｆ内が密集配線７ｆとされる。これにより、当該フレキシブルプリント配線板に曲げ応力が作用したときに、配線３ｆの屈曲部４ｆ及び分岐部６ｆにおける応力集中が緩和され、屈曲部４ｆ、分岐部６ｆ及びそれらの近傍における配線３ｆの断裂を防止することができる。
【００７５】
［その他の実施形態］
今回開示された実施の形態は全ての点で例示であって制限的なものではないと考えられるべきである。本発明の範囲は、上記実施形態の構成に限定されるものではなく、請求の範囲によって示され、請求の範囲と均等の意味及び範囲内での全ての変更が含まれることが意図される。
【００７６】
例えば、当該フレキシブルプリント配線板における配線は、屈曲部又は分岐部からの距離が配線の最小幅の５倍以下の範囲内の配線を幅広配線又は密集配線としたものであればよく、その平面形状は上記実施形態の形状に限定されない。また、屈曲部又は分岐部の近傍領域内の配線の平面形状は、幅広配線と密集配線とがどのように組み合わされたものであってもよい。例えば、１本の配線の屈曲部に隣接してダミー配線を配置することにより、屈曲部の近傍領域内を密集配線としてもよい。
【００７７】
また、当該フレキシブルプリント配線板において、全ての屈曲部及び分岐部の近傍領域内の配線が幅広配線又は密集配線とされることが好ましいが、少なくとも１つの屈曲部又は分岐部の近傍領域内の配線が幅広配線又は密集配線とされていればよい。
【００７８】
当該フレキシブルプリント配線板は、例えばカバーレイ、実装部品等の他の構成要素を備えてもよい。
【００７９】
当該フレキシブルプリント配線板において、屈曲部又は分岐部の幅広配線に接続される配線の一部が幅広配線であってもよい。つまり、配線が屈曲又は分岐しつつ線幅が変化する部分に本発明を適用してもよい。
【００８０】
当該フレキシブルプリント配線板において、屈曲部の近傍領域内の配線がダミー配線を含む密集配線であってもよく、密集配線を構成するダミー配線は、回路を構成する配線のどちら側に配置してもよい。
【符号の説明】
【００８１】
１  ベースフィルム
２，２ａ，２ｂ，２ｃ，２ｄ，２ｅ，２ｆ  導電パターン
３，３ａ，３ｂ，３ｃ，３ｄ，３ｅ，３ｆ  配線
４，４ｂ，４ｄ，４ｆ  屈曲部
５，５ａ，５ｄ，５ｅ  幅広配線
６，６ｃ，６ｅ，６ｆ  分岐部
７，７ｃ，７ｄ，７ｅ，７ｆ  密集配線
８，８ｆ  ダミー配線
ｗ  最小幅
Ｒ，Ｒａ，Ｒｂ，Ｒｃ，Ｒｄ，Ｒｅ，Ｒｆ  近傍領域
【図１】
2018128082.tif 000003
【図２】
2018128082.tif 000004
【図３】
2018128082.tif 000005
【図４】
2018128082.tif 000006
【図５】
2018128082.tif 000007
【図６】
2018128082.tif 000008
【図７】
2018128082.tif 000009
【国際調査報告】
2018128082.tif 000010
2018128082.tif 000011
2018128082.tif 000012
2018128082.tif 000013
2018128082.tif 000014
2018128082.tif 000015